(57)【特許請求の範囲】
【請求項１】
誘導加熱コイル及びラジエントヒータなどの加熱手段を備えたケース本体と、このケース本体の上面を覆うように装着され上面を被加熱調理容器の載置面とするトッププレートとを備え、
前記ケース本体を、キッチンの天板に落とし込みにより収容して、前記トッププレートの外周縁部を前記天板上に重ね配置する組込み構成にあって、
前記トッププレートは、耐熱ガラス若しくはセラミックにより一体に形成するとともに、このトッププレートの載置面の周端部のみに上面から側面にかけて非金属材料からなる耐熱性フィルム状の薄膜を被着したことを特徴とする誘導加熱調理器。
【請求項２】
トッププレートの周端部の上面は、外方に下降傾斜する斜面部の形状としたことを特徴とする請求項１記載の誘導加熱調理器。
【請求項３】
トッププレートの周端部の斜面部において、載置面と交差する稜線部を越えて薄膜を被着したことを特徴とする請求項２記載の誘導加熱調理器。
【請求項４】
トッププレートの周端部の裏面に、非金属材料からなる耐熱性フィルム状の薄膜を被着したことを特徴とする請求項１ないし３のいずれかに記載の誘導加熱調理器。
【請求項５】
薄膜は、透明としたことを特徴とする請求項１ないし４のいずれかに記載の誘導加熱調理器。
【発明の詳細な説明】
【技術分野】
【０００１】
本発明は、トッププレート上に載置した被加熱調理容器を加熱する誘導加熱調理器に関する。
【背景技術】
【０００２】
一般的に誘導加熱調理器では、箱状のケース本体内に加熱手段として誘導加熱コイルや、ニクロム線などのラジエントヒータを加熱源として設け、対向する上面側のトッププレート上に載置された被加熱調理容器を加熱する構成としている。この種誘導加熱調理器は、システムキッチンなどの天板に落とし込みにより組込まれ、トッププレートが該天板上に突出した状態に維持される。これは、通称ドロップイン方式と言われ天板に形成された開口部にケース本体を上方から収納する組込み手段である。しかるに、通常よく用いられている耐熱強化ガラス製とする結晶化ガラスによるトッププレートは、結晶化した後の加工が容易でないことから後方に設けた吸排気口部分を含み該トッププレートの周端部を、別部材の枠状のフレームにて覆い接着剤等にて固定している。そして、この枠状フレームにて天板上面の開口周縁に当接して支持させたり、或はトッププレートの周端部を覆うとともに外観を良くするなどの工夫が施されている（例えば、特許文献１参照）。
【０００３】
ところが、上記のような別部材のフレームを周端部に装着することは、単に組立工数が増えるといった問題以外に、その外観デザインに苦慮するばかりか、トッププレート上面とフレームのエッジ部分とに生じる段差部に吹き零れなどの汚れがたまり、或は密着度が悪いとその隙間から浸入して清掃も容易にできないといった不具合を生ずる。また、このフレームを金属製とする場合が多いが、この場合、エッジ部分で怪我しないよう安全性にも十分配慮せねばならないなどの憂いを有していた。
【０００４】
そこで、その対策として上記枠状のフレームを取除いた構成、つまりフレームレスとしてガラス製のトッププレートのみで周端部も一体に形成した構成の提案がなされている。この場合、トッププレート外周縁部が天板上面と重なる構成にて、その周端部に段差部を形成することになる。しかるに、キッチンの天板上では各種の鍋やフライパン、或はまな板や食器かごなどの移動作業が頻繁に行なわれ、上記段差部のトッププレートと衝突することで該トッププレートの周端部が破損し易いという問題を生じることとなった。
【０００５】
ところで、従来技術としてはトッププレートの上面全体に耐熱シートを貼着した構成の誘導加熱調理器が提案されている（例えば、特許文献２参照）。これによれば、鍋などの衝撃に対し耐熱シートによるクッション作用にて振動を抑え、或はすべりを防止し、また誘導加熱コイル通電時の電磁振動や騒音を軽減できるとするものであります。
【特許文献１】特開２００５−３５３４５８号公報
【特許文献２】特開平０４−２０８２号公報
【発明の開示】
【発明が解決しようとする課題】
【０００６】
しかしながら、加熱手段として一つの加熱コイルを備えた所謂単機能な誘導加熱調理器に対しては有効であるが、上記したようにキッチンに組込んだビルトイン型では、天板上で取り扱う鍋や調理器具などが頻繁に移動せられ、当然それだけ段差部に衝突し易く、且つその周端部は上部から或は側方からの衝撃に弱くて欠損し易く、上記構成ではこれを保護するには十分でない。しかも、上面に貼着した極薄いシートでは上方からの落下物に対し、僅かのクッション性を有する以外はトッププレート（ガラス）の圧縮方向への衝撃応力に対し、これを抑止するような格別な作用はみられない。
【０００７】
また、加熱源として誘導加熱コイルの他に上記したラジエントヒータなどを有する複合型の加熱調理器では、トッププレート上にシートを貼着することはできず、従って該ヒータに対向する部位を除いて貼着することも考えられるが、外観デザインを損ねたり剥がれ易いなどの問題を有する。その他、一般的にトッププレートの表面や裏面に無機塗料を塗布して該トッププレートのカラー化（色付）を施したり、或は模様、文字などデザインや表示を施しているが、この塗料の粒子はトッププレートと固着されているが、その塗膜はフィルム状に繋がっておらず亀裂し易くてガラスの破損防止などの補強効果は十分に得られない。
【０００８】
本発明は上記問題点を解決するため、外観デザインを損ねることなく且つ衝撃に対するトッププレートの破損を効果的に阻止できる非金属材料からなる耐熱性フィルム状の薄膜を被着したトッププレートを備えた誘導加熱調理器を提供することを目的とする。
【課題を解決するための手段】
【０００９】
上記目的を達成するために本発明の誘導加熱調理器は、誘導加熱コイル及びラジエントヒータなどの加熱手段を備えたケース本体と、このケース本体の上面を覆うように装着され上面を被加熱調理容器の載置面とするトッププレートとを備え、前記ケース本体を、キッチンの天板に落とし込みにより収容して、前記トッププレートの外周縁部を前記天板上に重ね配置する組込み構成にあって、前記トッププレートは、耐熱ガラス若しくはセラミックにより一体に形成するとともに、このトッププレートの載置面の周端部のみに上面から側面にかけて非金属材料からなる耐熱性フィルム状の薄膜を被着したことを主たる特徴とするものである。
【発明の効果】
【００１０】
上記手段によれば、薄膜の被着により天板上に生ずるトッププレートとの段差部において、特に周端部における衝撃による破損から保護することができ、且つ外観デザインを損なうことなくフレームレスのトッププレートを備えた誘導加熱調理器を提供できる。
【発明を実施するための最良の形態】
【００１１】
（第１の実施形態）
以下、本発明の第１実施例を示す図１ないし図４を参照して説明する。
そのうち、図２は例えばシステムキッチンの天板２に誘導加熱調理器１を組込んだ状態の外観斜視図、図３は同縦断側面図、及び図４は同平面図を示し、まずこれら図面を参照して全体構成につき概略説明する。誘導加熱調理器１は、上面を開放した矩形箱状のケース本体３と、その上面に装着されたトッププレート４とを具備した構成とし、そのケース本体３部分がキッチンの天板２に形成された開口部２ａ（図３参照）から落とし込まれて、トッププレート４の外周縁部の裏面側において天板２の開口周縁部と重なるようにして支持されている（詳細は後述する）。このケース本体３の内部には、後述する加熱手段や空冷手段を備えるとともに、図２に示す正面である前面の右側には調理のための条件設定を操作するダイヤルや表示部等を備えた操作パネル部５が設けられ、また左側には図示しないシーズヒータを内蔵したロースター装置６が設けられている。
【００１２】
一方、誘導加熱調理器１の上面を構成するトッププレート４は、例えば透明な耐熱強化ガラス（結晶化ガラス）製にて平坦な矩形板状に一体形成されており、その上面には、例えば図中円形枠線で示す３箇所に、鍋７などの被加熱調理容器を加熱するに好適とする載置部を指示する加熱部８，９，１０を印刷表示している。そのうち、前方左右の２箇所の加熱部８，９は、ケース本体３内に設けられた加熱手段の一つである誘導加熱コイル１１，１２に基づき被加熱調理容器たる鍋７を加熱可能とし、また後方中央に位置する加熱部１０は、例えばニクロム線からなるラジエントヒータ１３が配設され鍋７などの被加熱調理容器をヒータ加熱可能としており、所謂三つ口コンロを形成している。
【００１３】
しかるに、被加熱調理容器を載置する３箇所の加熱部８，９，１０を有するトッププレート４の上面は、少なくとも後方の吸排気部（後述する）を有する区域を除き平坦面に形成され、上記加熱部８，９，１０以外にも鍋７などを載置可能な広い載置面として利用できるように、特に左右方向に延長拡大した構成としている。また、上記加熱部８，９，１０の前方に位置して出力表示部８ａ，９ａ，１０ａが夫々設けられ、詳細は略すが前記操作パネル部５のダイヤル操作に応答した出力（火力）表示を可能とし且つ出力調整を容易にしている。そして、トッププレート４の後方部位には、左右の２箇所に横長の吸気口１４及び排気口１５が形成され、これらの上面を覆うように多孔板状のカバー部材１６が装着されている。しかるに、吸排気口１４，１５は、ケース本体３の内外を通して吸排気部として機能するもので、周りの僅かの段差部を利用して前記カバー部材１６が位置決めされ、着脱可能に載置されている。
【００１４】
なお、図３の断面図には、ケース本体３内に前記トッププレート４上面に施した加熱部８，９，１０のうちの右側の加熱部８に対向する加熱手段、すなわち前記誘導加熱コイル１１がコイル支持部材１７を介して配設された構成を示している。しかるに、これら加熱手段の下方の空間には、該加熱手段を駆動し制御する手段を装備していて、前記誘導加熱コイル１１，１２に高周波電流を供給するインバータ１８を構成するインバータ基板やマイクロコンピュータを主とした制御回路基板等を内蔵している。このような、駆動手段たる前記インバータ１８には、その主回路を構成するＩＧＢＴなどの発熱性のスイッチング素子を具備した構成とするとともに、この駆動手段と前記誘導加熱コイル１１及び１２とにより誘導加熱装置を構成している。
【００１５】
従って、上記誘導加熱装置ではインバータ１８などの発熱性のスイッチング素子や誘導加熱コイル１１，１２を冷却するために前記空冷手段を設けている。この空冷手段として、図３に示す送風装置１９が設けられ、前記吸気口１４を介して外気を取り込む一方、吐出側である下流側は同図中の矢視方向に流れ前記インバータ１８や誘導加熱コイル１１，１２を有する閉空間を流れてこれらを冷却した後、前記排気口１５から外部へ排出可能としている。
これに対し、ケース本体３の左側に設けた前記ロースター装置６にあっては、調理にて発生した煙等を前記排気口１５を利用して外部に排出する独立した排気手段が設けてある。これは、詳細は略すが前記したインバータ１８等の閉空間とは別の閉空間が形成されていて、前面側の適宜の隙間から吸気して暖かい煙などを対流作用により自然排気可能としている。
【００１６】
ここで、前記したケース本体３の天板２への落とし込みによる組込み構成につき、主に図１に基づき説明する。その図１は、図４中のＸ−Ｘ線に沿って切断して示す拡大断面図で、ケース本体３の外周フランジ部２０（全周連続でなくてもよい）が天板２の開口部２ａ周縁上面に引っ掛けられ、ケース本体３の荷重を受ける構成としており、以って誘導加熱調理器１を天板２に組込み支持している。しかるに、ケース本体３とトッププレート４とは全体に矩形枠状をなす金属製の補強板２１を介して連結され、一体化されている。
この補強板２１は、その外形形状がトッププレート４の外形より若干小さくて、内部を大きな矩形状に開放した枠状をなしている。すなわち、特に図４に示すように少なくとも前記した３箇所の加熱手段に対しこれを覆うことなく開放した形状とし、且つ後方の吸排気口１４，１５に対応する部位を図示しないが開放した形状としている。
【００１７】
そして、本実施例では補強板２１の枠状をなす上面の平坦な水平面を支持部２１ａとし、下方に垂直に曲成された複数箇所の垂下片を固定部２１ｂとし、及び上記支持部２１ａの先端部に下方に窪む凹状部２１ｃを有する形状としている。しかして、その固定部２１ｂはケース本体３にねじ２２にて結合され、水平な支持部２１ａはトッププレート４の裏面に宛がわれた状態で、凹状部２１ｃに充填された接着剤２３にて接合され、以ってトッププレート４とケース本体３とが一体化され、同時に該補強板２１により裏面側に宛がわれ接合されたトッププレート４の強度向上を図っている。
【００１８】
このように、落とし込みにより天板２に組み込まれた誘導加熱調理器１は、天板２の開口周縁とトッププレート４の外周縁部とが重なり合う構成にあって、該部位にフランジ２０による支持や補強板２１によるトッププレート４との接合が行なわれ、更にそれらの外周側においてパッキン２４が、トッププレート４側に接着剤により接合固定されている。しかるに、この組込み状態では該パッキン２４は若干圧縮された圧着状態に保持され、トッププレート４の周端部における天板２との間に生じる隙間αからの水の浸入を阻止する水封作用をなす。なお、隙間αは、前記したようにフランジ部２０で荷重を受けるべく考慮して設定されており、従って補強板２１の支持部２１ａの下面が天板２上面に接触しない構成でもある。
【００１９】
そして、トッププレート４の矩形状の周端部において、その表面である上面から側面にかけて非金属材料からなる耐熱性フィルム状の薄膜２５（太実線で図示）を被着している。この薄膜２５は、有機性樹脂のシリコーン樹脂或はフッ素樹脂材料にて膜厚ｔを１０ミクロン〜９０ミクロンの極薄い厚みとなるように塗布し焼き付け処理してフィルム状の薄膜２５を形成したものである。しかして、本実施例ではトッププレート４の周端部の表面である上面から側面にかけて被着し、所謂周端部の少なくとも角部を覆い被着した構成としている。
【００２０】
次に、上記構成の誘導加熱調理器１の作用について説明する。
まず、誘導加熱調理器１による通常の加熱調理の動作については周知であるため、以下簡略して説明すると、３箇所の加熱手段のうちから選択して例えば右側の誘導加熱コイル１１を加熱源とする加熱部８に鍋７を載置し、操作パネル部５のダイヤル操作等によりインバータ１８などの駆動手段を介して駆動し、適宜出力調整を行ない例えば煮物調理を開始することができる。併せて、空冷手段を構成する送風装置１９も駆動され、図３に示すように吸気口１４から取り込まれた外気を図中矢視方向に送風することで、発熱性のスイッチング素子を有するインバータ１８、及び誘導加熱コイル１１等を空冷して排気口１５から排気される。
【００２１】
このような、誘導加熱調理器１使用による調理作業、或はキッチン天板２上での調理作業等において、トッププレート４上に煮汁などを零したり、或いはキッチンで使用する水が飛散したりする。しかるに、本実施例では鍋７などを載置する加熱部８，９，１０を有するトッププレート４の上面たる載置面は、別部材のフレームなどを装着していない一体物で形成されているため、汚れも簡単に拭き掃除することができ、フレームのエッジ部分に汚れがたまったり或はしみ込むなどの不具合はなく美麗で清潔に保てる。
しかも、トッププレート４の周端部を覆ったフィルム状の薄膜２５は、例えば５０ミクロンの膜厚としても極薄くてフレームの如きエッジ部が生じるような段差はなく、依ってこの薄膜２５の塗布による汚れがたまるなどの不具合はない。
【００２２】
また、上記したキッチンでの調理作業等において、鍋７をはじめまな板なども含む各種調理用器材を移動したりする。その際、天板２上に突出したトッププレート４、特に周端部における天板２上面に生じる段差部は、該段差部は衝突し易くて衝撃を受け易い。しかるに、この段差部としてのトッププレート４の周端部は、上面から側面にかけて薄膜２５に覆われているため、クッション作用により衝撃を緩和することができる。従って、周端部が容易に破損したり欠けたりすることはない。
【００２３】
ところが、非常に大きな衝撃が加わり割れや欠損するに至った場合でも、ガラスの破片は薄膜２５に接合された状態に保持でき、指を切ったり破片が飛び散ることがなく安全性を確保できる。これは、薄膜２５がフィルム状に塗膜形成され薄くても簡単に破れたりすることがなく、且つガラスに対する密着力も高いことも有効に作用している。更に、本実施例のように薄膜２５は透明としているので、トッププレート４の薄膜２５は目立つことなく載置面全体が同一質感を有するため、外観も美麗なガラス材質の光沢を生かした良好なデザインを得ることができる。
【００２４】
以上説明したように、本実施例によれば次の効果を有する。
耐熱強化ガラスにより一体に形成したトッププレート４は、鍋７などを載置する加熱部８，９，１０を備えた載置面の外周囲に、非金属材料からなる耐熱性のフィルム状薄膜２５を、塗布し焼き付け処理により形成して被着する構成とした。この薄膜２５は、ミクロン単位の極薄い塗膜からなるため、従来の金属製のフレーム装着していたことの不具合、すなわち載置面上に吹き零れた煮汁とか、或いはキッチンで使用する水等が飛散しても、これらがフレームのエッジ部分に汚れとしてたまったり或はしみ込むなどの不具合がなく、しかも簡単に拭き掃除することができて常に美麗で清潔に保てるとともに、トッププレート４上での調理作業における手指の怪我のおそれもなく安全である。
【００２５】
特に、上記薄膜２５を周端部の上面から側面にかけて覆う形態に被着したので、鍋７などが衝突し易く大きな衝撃を受け易い周端部に対し、該衝撃を緩衝的に受け止めることができ、破損や欠損から保護することができる。しかも、更に大きな衝撃にて破損に至る場合が生じても、本実施例の薄膜２５は有機性樹脂であるシリコーン若しくはフッ素樹脂を材料として塗布し焼き付けているので、フィルム状の塗膜として形成でき且つトッププレート４たるガラス面への密着力も高まり、欠損などを抑止する作用としても有効で且つ欠けた破片が飛び出すのを有効に抑え、怪我防止による安全性の点からも有効である。特に、薄膜２５を上面から側面にかけて塗布したので、最も衝突し易くて欠損し易い角部を保護するのに有効である。
【００２６】
しかるに、従来ではトッププレートに対し、無機塗料を塗布して主にデザインや表示を施した例もあるが、これは塗料の粒子がトッププレートのガラス面に接合しているもので、フィルム状の塗膜形成に至っておらず、衝撃に抵抗する抑止力は極小さく、これが周端部に塗布されたとしても強度的な保護効果は期待できない。しかも、本実施例では薄膜２５を透明としたので、薄いことと相俟ってトッププレート４の薄膜２５の被着部分が目立つことなく全体に同一質感が得られ、外観的にも美麗なガラス材質の光沢を生かした良好なデザイン効果を得ることができる。
【００２７】
上記実施例に対し、図５（ａ），（ｂ），（ｃ）は、夫々異なる変形例を示すトッププレートの周端部の形状を示したもので、上記実施例と同一部分には同一符号を付して説明を省略し、異なる部分につき説明する。
まず、同図（ａ）に示す変形例は、トッププレート４の周端部を包み込むように、所謂裏面側にも及ぶ薄膜２６を被着した構成である。この構成の場合、薄膜２６で覆われた周端部は、如何なる方向からの衝撃に対応でき一層破損などに対する抑止効果は高まるとともに、組み込み作業に至るまでの該トッププレート４の取扱いにおいて、衝突による欠損防止や持ち運び時の周端部角部での怪我防止にも有効である。
【００２８】
次いで、同図（ｂ），（ｃ）は、いずれもトッププレート２７の周端部上面に外方に向かって下降傾斜する斜面部２８を形成したもので、そのうち図（ｂ）は上面たる斜面部２８から側面にかけて薄膜２９を被着したもの、また図（ｃ）は水平な載置面と斜面部２８とが交差する稜線部を越えて薄膜３０を被着したものである。
この斜面部２８を設けた構成によれば、上面側の所謂直角な角部をなくして徐々に下降傾斜する形態としたので、図示しない天板上における段差部を実質的に小さくでき、依って鍋などの被加熱調理容器の取り扱い時に該段差部に衝突するのを軽減でき、且つ衝突しても斜面部２８の傾斜角度により衝撃を和らげる作用を有し、トッププレート２７の破損防止のみならず安全な調理作業も実現できる。
【００２９】
特に図（ｃ）では、斜面部２８の稜線を越えて水平な載置面に及び薄膜３０を被着したので、上面の角部（稜線部）は直角ではなく鈍角となっているものの、やはり鍋などが最も衝突し易くて且つ破損し易い部位であることから、この角部たる稜線部を薄膜３０で覆ったことによる保護効果は大きい。
【００３０】
なお、これら図（ｂ），（ｃ）の斜面部２８に対応する裏面側に、図（ａ）の如き薄膜を被着してもよく、この場合、例えば斜面部２８に重い鍋を落とした場合、その落下点である斜面部２８では、上面が圧縮方向の衝撃応力を受け、一方裏面側では裏面が引張り方向の衝撃応力を受けることになるが、裏面側の薄膜が引張り方向の衝撃応力に抗する作用を発揮し、その衝撃や破損を抑止する効果が期待でき、特に斜面部２８を形成したが故に厚みが減少した周端部を有効に補強できる効果は大きい。
【００３１】
（第２の実施形態）
図６，７は、本発明の第２実施例を示すもので、そのうち図６はラジエントヒータ１３を含む要部の断面図、図７は薄膜による補強効果を示す試験結果を示している。なお、上記実施例と同一部分には同一符号を付して説明を省略し、異なる部分につき説明する。
このものは、図６に示すようにトッププレート２７の裏面側のほぼ全域に薄膜３１を形成被着したものである。
以下、その構成につき説明すると、まずトッププレート２７は、フレームレスの構成であるとともに、前記した図５（ｂ），（ｃ）に開示した実施例と同様に周端部に斜面部２８を備えた構成にある。そして、このトッププレート２７の下方に配置した加熱手段の一つであるラジエントヒータ１３は、ニクロム線に直流電流を通電することにより発熱し、トッププレート２７上に載置した鍋などの被加熱調理容器を加熱するもので、その構成は円形皿状の断熱性容器３２内にラジエントヒータ１３が配置され、支持枠３３を介してケース本体３側に固定した構成としている。
【００３２】
しかるに、薄膜３１はトッププレート２７の上面側にあっては図５（ｃ）と同様に斜面部２８の稜線部を越えて被着されるとともに、裏面側にはラジエントヒータ１３と対向する面を除いて被着している。具体的には、断熱性容器３２の対向面積に相当する範囲（図中符号Ａで示す）、若しくは加熱部１０相当の載置面をマスキングして塗布し、焼付け処理して薄膜３１を形成被着している。
斯かる構成によれば、既述のフレームレスによる効果を有することはもとより、斜面部２８を有する周端部を覆うように薄膜３１を被着してなる効果も、上記図５の各実施例による既述内容を併せて有することは明らかである。
【００３３】
ところで、トッププレート２７の上面たる載置面に例えば重い鍋を落とした場合、その落下点であるガラス製トッププレート２７の上面側では、上面が圧縮方向の衝撃応力を受け、一方裏面側では裏面が引張り方向の衝撃応力を受ける。しかるに、本実施例では裏面のほぼ全域に薄膜３１を被着したので、上記した裏面の引張り方向の衝撃応力に対しフィルム状の薄膜３１がこれに抗する作用を発揮し、その衝撃や破損を抑止する効果が期待できる。従って、この種薄膜をトッププレートの上面に被着しても圧縮方向の衝撃応力に抗する作用は得られず、破損等を阻止する効果は期待できない。
【００３４】
図７は、その試験結果を示したもので、供試品として３ｍｍ厚のガラス板を用意し、薄膜の厚みは５０ミクロン、先の尖った錘（３００ｇ）を上記ガラス面に落下させ、ガラスが割れる限界高さを求めたものである。結果、図７から明らかなように、従来例１（薄膜無し）では限界高さが３５ｃｍ、これに対し従来例２（表面に薄膜）では５０ｃｍを測定した。これは、上記薄膜無しに比べ緩衝作用による効果にてガラスの割れる限界高さが伸びたものと考えられ、前記したように圧縮方向に作用する衝撃応力に対しては、これを抑止する作用効果は認められない。
【００３５】
そして、本実施例に対応した実施例品（裏面に薄膜）では限界高さ６５ｃｍを記録した。これは、錘に対する緩衝作用はない上での記録で、前記したように衝撃応力に抗する作用が如何に大きく機能しているかを知ることができる。従って、割れ防止などの補強のためにトッププレート２７を厚くすることを回避でき、天板３上に突出する段差部を小さく抑えるに有効であり、且つ製造性や組込み作業性が良好でコスト低減にも有利である。
【００３６】
加えて、裏面側の薄膜３１はラジエントヒータ１３に対向する部位を除いたので、ヒータ加熱を何ら阻害することがないことはもとより、耐熱性に富むとはいえ長時間のヒータ加熱により一部変質したり溶けることも考慮すると、安全上該部位における塗膜形成は避けることが望ましい。因みに、上記実施例で述べた如き誘導加熱コイルでは通常使用では鍋などが高温度に上昇することはないが、セットした鍋が空焼きの異常事態では鍋が２００度Ｃ程度まで温度上昇する。しかしながら、本実施例の有機性の耐熱性樹脂であるシリコーン樹脂系の塗装膜は２５０度Ｃ程度の耐熱性を有し、ほか使用可能なフッ素樹脂系の塗装膜では２６０度Ｃ程度の耐熱性を有することから、誘導加熱コイルの加熱手段に対しては薄膜３１の形成を除くことなく被着しても、上記異常事態の空焼きの鍋からの高温度の発熱にも十分に対処できる。但し、長期間使用による品質保持とか確実な安全性を考慮した長期信頼性を得るために、該誘導加熱コイルに対向する裏面も、該薄膜３１を塗布しないようにすることは有効である。
【００３７】
なお、本発明は上記し且つ図面に示した実施例に限定されず、例えばトッププレートはフレームレスの構成に対し、後部に設けた吸気または排気のための吸排気部の区域は、別部材で構成しても良いし、またトッププレートはセラミック製としても良い。また、フィルム状薄膜は透明としたが、半透明としたり或は上面側と裏面側で色分けしたり、更にはトッププレートの色調との組み合わせなど種々展開可能である。そのほか、ラジエントヒータの加熱源としてハロゲンランプでもよいなど、実施に際して本発明の要旨を逸脱しない範囲内で種々変更して実施できる。  
【図面の簡単な説明】
【００３８】
【図１】本発明の第１実施例を示す図４中のＸ−Ｘ線に沿って切断して示す拡大断面図
【図２】誘導加熱調理器のキッチン組込み状態の外観斜視図
【図３】同概略構成を示す縦断側面図
【図４】同平面図
【図５】変形例（ａ），（ｂ），（ｃ）を示すトッププレートの周端部の断面図
【図６】本発明の第２実施例を示す要部の断面図
【図７】試験結果の内容を示す図
【符号の説明】
【００３９】
図面中、１は誘導加熱調理器、２は天板、３はケース本体、４，２７はトッププレート、７は鍋（被加熱調理容器）、８，９，１０は加熱部、１１，１２は誘導加熱コイル（加熱手段）、１３はラジエントヒータ（加熱手段）、２０はフランジ部、２１は補強板、２４はパッキン、２５，２６，２９，３０，３１は薄膜、及び２８は斜面部を示す。
【図１】
0004812507.tif 000002
【図２】
0004812507.tif 000003
【図３】
0004812507.tif 000004
【図４】
0004812507.tif 000005
【図５】
0004812507.tif 000006
【図６】
0004812507.tif 000007
【図７】
0004812507.tif 000008